(57)【特許請求の範囲】
【請求項１】
頭髪のスタイリングに用いられるヘアカーラーであって、使用者の把持に用いられるケース、パーマ装置および挟持装置を含み、前記ケースにより頭髪を収容するチャンバーが形成され、前記ケースの使用者の手と接触する側の反対側には前記チャンバーと連通する開口が形成され、前記開口により頭髪を前記チャンバーに入れるか或いはチャンバーから出て、使用者が手でケースを握るとき、前記開口は使用者の親指と他の４つの指との間に位置し、
前記パーマ装置は前記チャンバー内に取付けられ、前記パーマ装置は巻き付け部と頭髪フックを含み、前記巻き付け部は固定端と解放端を含み、前記頭髪フックが前記巻き付け部に相対して回転することにより頭髪を前記巻き付け部の解放端から固定端に巻き付け、
前記挟持装置は挟持部を含み、前記挟持部はケースの上部領域に取り付けられ、頭髪のスタイリングをするとき、スタイリング待ち頭髪は挟持部と巻き付け部との間に挟持されることを特徴とするヘアカーラー。
【請求項２】
前記ケースは、底部領域、中間領域および上部領域を含み、前記ケースの一面は前記底部領域から中間領域を経て上部領域まで延伸する円弧面であり、前記開口は前記円弧面の延伸方向に形成されていることを特徴とする請求項１に記載のヘアカーラー。
【請求項３】
前記開口の形状は円弧型であり、ケースの上部領域に向かって開口の幅は広くなることを特徴とする請求項２に記載のヘアカーラー。
【請求項４】
前記チャンバーの壁面は前記ケースの上部領域において円弧面に形成されていることを特徴とする請求項２に記載のヘアカーラー。
【請求項５】
前記ケースの上部領域には使用者の親指と人差し指に適合する２つのラグが形成され、前記２つのラグは前記開口の両側にそれぞれ位置していることを特徴とする請求項２に記載のヘアカーラー。
【請求項６】
前記頭髪フックは巻き付け部の固定端から解放端に向かう方向において固定端から所定の距離離れている位置に取り付けられることを特徴とする請求項１に記載のヘアカーラー。
【請求項７】
前記頭髪フックは前記巻き付け部の中央位置と巻き付け部の解放端との間のいずれかの位置に取り付けられることを特徴とする請求項６に記載のヘアカーラー。
【請求項８】
前記ケースは、底部領域、中間領域および上部領域を含み、前記巻き付け部の解放端はケースの上部領域とケースの中間領域との間の接続部位に位置することを特徴とする請求項６に記載のヘアカーラー。
【請求項９】
前記ヘアカーラーは第一延伸部を更に含み、前記第一延伸部は隣接する巻き付け部の固定端から頭髪フックまで延伸するとともに前記頭髪フックに連結されることを特徴とする請求項６に記載のヘアカーラー。
【請求項１０】
前記ヘアカーラーは本体と少なくとも１つの第二延伸部を更に含み、前記本体の中央には貫通孔が形成され、本体は前記貫通孔により巻き付け部上に取り付けられ、前記第一延伸部と第二延伸部は本体の同一端に形成されていることを特徴とする請求項９に記載のヘアカーラー。
【請求項１１】
前記第二延伸部は第一延伸部が巻き付け部の固定端から巻き付け部の解放端に延伸している長さより短いことを特徴とする請求項１０に記載のヘアカーラー。
【請求項１２】
前記第一延伸部および第二延伸部が巻き付け部の外表面に近接する面と巻き付け部の外表面との間の距離は１〜５ｍｍであることを特徴とする請求項１０に記載のヘアカーラー。
【請求項１３】
前記ヘアカーラーは駆動構造と伝動部を更に含み、伝動部の一端は前記駆動構造に連結され、伝動部の他端は前記本体に連結され、駆動装置は伝動部を介して本体が巻き付け部に対して回転するように駆動することを特徴とする請求項１０に記載のヘアカーラー。
【請求項１４】
前記ヘアカーラーは少なくとも１つの摩擦部を更に含み、前記摩擦部は前記巻き付け部上に取り付けられることを特徴とする請求項６に記載のヘアカーラー。
【請求項１５】
前記挟持装置はオープン位置とオフ位置を含み、挟持装置がオープン位置にあるとき、頭髪を前記開口によりチャンバーから出すことができ、挟持装置がオフ位置にあるとき、挟持装置は頭髪の一端を挟持することを特徴とする請求項１に記載のヘアカーラー。
【請求項１６】
前記挟持装置がオフ位置にあるとき、前記パーマ装置は自動的に起動することを特徴とする請求項１５に記載のヘアカーラー。
【請求項１７】
前記頭髪フックは巻き付け部の固定端から解放端に向かう方向において固定端から所定の距離離れている位置に取り付けられ、前記挟持装置は２つの挟持部を含み、前記２つの挟持部が当接するとき２つの挟持部により貫通孔が形成され、前記巻き付け部は前記貫通孔に挿入されることを特徴とする請求項１５に記載のヘアカーラー。
【請求項１８】
２つの前記挟持部上には弾性部材が取り付けられ、２つの前記挟持部が当接するとき、前記弾性部材は前記巻き付け部と接触することを特徴とする請求項１７に記載のヘアカーラー。
【請求項１９】
前記挟持装置は、巻き付け部の解放端、巻き付け部の中央または巻き付け部の解放端から離れている一端に位置していることを特徴とする請求項１５に記載のヘアカーラー。
【請求項２０】
前記ヘアカーラーは表示パネルとボタンを更に含み、前記表示パネルとボタンは前記ケースの底部に取り付けられることを特徴とする請求項１に記載のヘアカーラー。
【発明の詳細な説明】
【技術分野】
【０００１】
本発明は、家電分野に関し、特にヘアカーラーに関する。
【背景技術】
【０００２】
ヘアカーラーは頭髪を巻き付けるハンドル式電子装置であり、頭髪のスタイリングの分野において幅広く応用されている。
【０００３】
従来のヘアカーラーは通常、スタイリングする本体と本体に連結されるハンドルを含む。使用者はハンドルを持って前記ヘアカーラーを使用することができるが、その構造を有しているヘアカーラーは、体積が大きく、構造が複雑であり、使用の利便性がよくないという欠点を有している。
【発明の概要】
【発明が解決しようとする課題】
【０００４】
従来のヘアカーラーの使用の利便性がよくない問題を解決するため、本発明は利便性がよいヘアカーラーを提供する。
【課題を解決するための手段】
【０００５】
上記の技術的課題を解決するため、本発明は頭髪のスタイリングに用いられるヘアカーラーを提供する。ヘアカーラーは、使用者の把持に用いられるケース、パーマ装置および挟持装置を含み、前記ケースにより頭髪を収容するチャンバーが形成され、前記ケースの使用者の手と接触する側の反対側には前記チャンバーと連通する開口が形成され、前記開口により頭髪を前記チャンバーに入れるか或いはチャンバーから出て、使用者が手でケースを握るとき、前記開口は使用者の親指と他の４つの指との間に位置する。前記パーマ装置は前記チャンバー内に取付けられ、前記パーマ装置は巻き付け部と頭髪フックを含み、前記巻き付け部は固定端と解放端を含み、前記頭髪フックが前記巻き付け部に相対して回転することにより頭髪を前記巻き付け部の解放端から固定端に巻き付ける。前記挟持装置は挟持部を含み、前記挟持部はケースの上部領域に取り付けられ、頭髪のスタイリングをするとき、スタイリング待ち頭髪は挟持部と巻き付け部との間に挟持される。
【０００６】
好ましくは、前記ケースは、底部領域、中間領域および上部領域を含み、前記ケースの一面は前記底部領域から中間領域を経て上部領域まで延伸する円弧面であり、前記開口は前記円弧面の延伸方向に形成されている。
【０００７】
好ましくは、前記開口の形状は円弧型であり、ケースの上部領域に向かって開口の幅が広くなる。
【０００８】
好ましくは、前記チャンバーの壁面は前記ケースの上部領域において円弧面に形成されている。
【０００９】
好ましくは、前記ケースの上部領域には使用者の親指と人差し指に適合する２つのラグが形成され、前記２つのラグは前記開口の両側にそれぞれ位置している。
【００１０】
好ましくは、前記頭髪フックは巻き付け部の固定端から解放端に向かう方向において固定端から所定の距離離れている位置に取り付けられる。
【００１１】
好ましくは、前記頭髪フックは前記巻き付け部の中央位置と巻き付け部の解放端との間のいずれかの位置に取り付けられる。
【００１２】
好ましくは、前記ケースは、底部領域、中間領域および上部領域を含み、前記巻き付け部の解放端はケースの上部領域とケースの中間領域との間の接続部位に位置する。
【００１３】
好ましくは、前記ヘアカーラーは第一延伸部を更に含み、前記第一延伸部は隣接する巻き付け部の固定端から頭髪フックまで延伸するとともに前記頭髪フックに連結される。
【００１４】
好ましくは、前記ヘアカーラーは本体と少なくとも１つの第二延伸部を更に含み、前記本体の中央には貫通孔が形成され、本体は前記貫通孔により巻き付け部上に取り付けられ、前記第一延伸部と第二延伸部は本体の同一端に形成される。
【００１５】
好ましくは、前記第二延伸部は第一延伸部が巻き付け部の固定端から巻き付け部の解放端に延伸している長さより短い。
【００１６】
好ましくは、前記第一延伸部および第二延伸部が巻き付け部の外表面に近接する面と巻き付け部の外表面との間の距離は１〜５ｍｍである。
【００１７】
好ましくは、前記ヘアカーラーは駆動構造と伝動部を更に含み、伝動部の一端は前記駆動構造に連結され、伝動部の他端は前記本体に連結され、駆動構造は伝動部により本体が巻き付け部に対して回転するように駆動する。
【００１８】
好ましくは、前記ヘアカーラーは少なくとも１つの摩擦部を更に含み、前記摩擦部は前記巻き付け部上に取り付けられる。
【００１９】
好ましくは、前記挟持装置はオープン位置とオフ位置を含み、挟持装置がオープン位置にあるとき、頭髪を前記開口によりチャンバーから出すことができ、挟持装置がオフ位置にあるとき、挟持装置は頭髪の一端を挟持する。
【００２０】
好ましくは、前記挟持装置がオフ位置にあるとき、前記パーマ装置は自動的に起動する。
【００２１】
好ましくは、前記頭髪フックは巻き付け部の固定端から解放端に向かう方向において固定端から所定の距離離れている位置に取り付けられ、前記挟持装置は２つの挟持部を含み、前記２つの挟持部が当接するとき２つの挟持部により貫通孔が形成され、前記巻き付け部は前記貫通孔に挿入される。
【００２２】
好ましくは、２つの前記挟持部上には弾性部材が取り付けられ、２つの前記挟持部が当接するとき、前記弾性部材は前記巻き付け部と接触する。
【００２３】
好ましくは、前記挟持装置は、前記巻き付け部の解放端、巻き付け部の中央または巻き付け部の解放端から離れている一端に位置している。
【００２４】
好ましくは、前記ヘアカーラーは表示パネルとボタンを更に含み、前記表示パネルとボタンは前記ケースの底部に取り付けられる。
【発明の効果】
【００２５】
本発明のヘアカーラーにより次の発明の効果を得ることができる。
１．本発明のヘアカーラーは使用者の把持に用いられるケースとパーマ装置を含み、前記ケースにより頭髪を収容するチャンバーが形成され、前記ケースの使用者の手と接触する側の反対側には前記チャンバーと連通する開口が形成され、前記開口により頭髪を前記チャンバーに入れるか或いはチャンバーから出て、前記パーマ装置は前記チャンバー内に取付けられる。その構造により使用者は手のひらでケースを握ることにより前記ヘアカーラーを使用することができ、かつ使用者がヘアカーラーを握るための他のハンドルを設ける必要がないので、ヘアカーラーのサイズを効果的に縮小することができる。また、使用者は手のひらでヘアカーラーを握って使用することができるので、使用の利便性がよい。使用者は前記ヘアカーラーを握り、前記開口が前記頭髪に向かうようにすることにより、頭髪を開口から前記ヘアカーラーのチャンバーに入れてスタイリングすることができる。スタイリングが終わると、使用者はヘアカーラーを下に移動させることにより、スタイリングされた頭髪を前記開口によりチャンバーから出すことができる。ハンドルが形成されている従来のヘアカーラーと比較すると、本発明は、構造が簡単であり、操作の利便性がよく、ユーザーフレンドリーであるという利点を有している。
【００２６】
２．ケースは、底部領域、中間領域および上部領域を含み、ケースの一面は底部領域から中間領域を経て上部領域まで延伸する円弧面であり、開口は前記円弧面の延伸方向に形成されている。その構造を採用する場合、使用者がヘアカーラーを使用者の頭髪の根元に接近させてスタイリングするとき、ヘアカーラーは使用者の頭部の皮膚に当接するおそれがあるが、円弧面に形成されているヘアカーラーのケースが使用者の頭部の皮膚と接触するとき、円弧面に形成されるケースの円滑性により、使用者の頭部の皮膚に傷を負わせるか或いは不快感を与えることを防止することができる。それにより使用者は快適性を獲得し、実際の必要によりヘアカーラーのパーマ装置と頭髪の根元との間の距離を適当に調節することができる。
【００２７】
３．前記チャンバーの壁面は前記ケースの上部領域において円弧面に形成されている。その構造を採用する場合、加熱とスタイリングによりふんわりと膨張している頭髪をそのままケースのチャンバーから出すことができる。すなわち、前記構造はケースのチャンバーから出た頭髪のふんわりと膨張した状態に適合するので、頭髪をケースのチャンバーから容易に出て、スタイリングの効果を確保することができる。
【００２８】
４．ケースの上部領域には使用者の親指と人差し指に適合する２つのラグが形成され、前記２つのラグは前記開口の両側にそれぞれ位置している。その構造を採用する場合、使用者がケースを握るとき、２つの前記ラグは使用者の親指と人差し指にそれぞれ支持されることにより、使用者はヘアカーラーのケースをより安定して握り、使用者に良好な把持の効果を与えることができる。
【００２９】
５．前記パーマ装置は巻き付け部と頭髪フックを含み、前記巻き付け部は前記チャンバー内に取り付けられ、スタイリング待ち頭髪は前記巻き付け部上に巻き付けられ、前記巻き付け部は固定端と解放端を含み、前記頭髪フックは巻き付け部の固定端から解放端に向かう方向において固定端から所定の距離離れている位置に取り付けられる。その構造を採用するとき、頭髪において頭髪フックから頭髪の尖端部までの部分を巻き付け部上に巻き付けることができるので、均等な巻き付けの効果を得、巻き付け部上に巻き付けられる頭髪の前記部分を加熱することにより均等な加熱の効果を得、かつ頭髪を加熱してスタイリングする効果を向上させることができる。
【００３０】
６．前記ヘアカーラーは第一延伸部と本体を更に含み、前記本体は前記巻き付け部の固定端に取り付けられ、前記第一延伸部は本体に連結され、前記第一延伸部は巻き付け部の解放端に向かう方向に沿って頭髪フックまで延伸するとともに頭髪フックに連結される。その構造を採用することにより、頭髪を巻き付け部上に巻き付けるとき、第一延伸部で頭髪を整理し、頭髪を巻き付け部上によく付着させることができるので、良好な巻き付けの効果とスタイリングの効果を得ることができる。
【００３１】
７．前記ヘアカーラーは少なくとも１つの第二延伸部を更に含み、前記本体の中央には貫通孔が形成され、本体は前記貫通孔により巻き付け部上に取り付けられ、前記第一延伸部と第二延伸部は本体の同一端に形成される。その構造により、頭髪を巻き付け部上に巻き付けるとき、頭髪の解放端の尖端部分を巻き付け部上によく付着させることができるので、頭髪全体が巻き付け部上によく付着することを確保することができる。
【００３２】
８．前記第二延伸部は第一延伸部が巻き付け部の固定端から巻き付け部の解放端に延伸している長さより短い。その構造により第二延伸部により頭髪の先端を絞ることを確保し、かつ第一延伸部により頭髪を容易に巻き付けることができる。
【００３３】
９．前記第一延伸部および第二延伸部が巻き付け部の外表面に近接する面と巻き付け部の外表面との間の距離は１〜５ｍｍである。その構造により、巻き付け部で頭髪を加熱してスタイリングすることをよく制御し、第一延伸部および第二延伸部が巻き付け部の外表面に近接する面と巻き付け部の外表面との間の距離を適当に設計することにより、頭髪層を加熱するとき巻き付け部に付着している部分と巻き付け部から離れている部分の温度差はそれほど大きくないので、頭髪層全体を均等に加熱することにより良好なスタイリングの効果を得ることができる。
【００３４】
１０．前記ヘアカーラーは少なくとも１つの摩擦部を更に含み、前記摩擦部は前記巻き付け部上に取り付けられる。頭髪を前記巻き付け部上に巻き付けるとき、前記摩擦部は頭髪と巻き付け部との間の摩擦力を増加させ、頭髪が巻き付け部上で勝手に移動することを防止することができる。それにより頭髪を巻き付け部上に均等に巻き付け、良好な巻き付けの効果を得ることができる。
【００３５】
１１．前記ヘアカーラーは挟持装置を更に含み、前記挟持装置は前記ケースのチャンバー内に取り付けられ、前記挟持装置はオープン位置とオフ位置を含み、挟持装置がオープン位置にあるとき、頭髪を前記開口によりチャンバーから出すことができ、挟持装置がオフ位置にあるとき、挟持装置は頭髪の一端を挟持する。頭髪の巻き付けとスタイリングするとき、挟持装置で頭髪の一端を挟持して固定させることにより、パーマ装置で頭髪を巻き付ける効果を向上させることができる。頭髪の一端は挟持装置に挟持されることにより固定されているので、ヘアカーラーのチャンバー内の頭髪が移動することを防止し、かつ頭髪の加熱とスタイリングに影響を与えないので、頭髪の良好なスタイリングの効果を得ることができる。また、頭髪の一端は挟持装置に挟持されることにより固定されているので、ヘアカーラーで頭髪を加熱してスタイリングするとき、ヘアカーラーを固定させる必要がないので、ヘアカーラーの使用上の利便性を向上させることができる。
【００３６】
１２．２つの前記挟持部上には弾性部材が取り付けられ、２つの前記挟持部がオフ位置にあるとき、前記弾性部材は前記巻き付け部と接触する。弾性部材が取り付けられることにより、挟持装置で頭髪を挟持するとき、頭髪を効果的に挟持し、かつ挟持装置の挟持により頭髪が破損されることを防止することができる。
【００３７】
１３．前記ヘアカーラーは表示パネルとボタンを更に含み、前記表示パネルとボタンは前記ケースの底部に取り付けられる。その構造において、表示パネルとボタンはケースの把持領域に形成されていないので、ヘアカーラーを握ることに影響を与えず、ヘアカーラーの美観にも影響を与えない。使用者は表示パネルに表示される使用状態とパラメーターにより前記ヘアカーラーの状態を把握することができる。
【図面の簡単な説明】
【００３８】
【図１】本発明の第一実施例のヘアカーラーの立体構造図であるである。
【図２】ケース、パーマ装置および挟持装置を含む本発明の第一実施例のヘアカーラーの構造を示す斜視分解図である。
【図３】駆動構造、巻き付け部および頭髪フックモジュールを含む図２のパーマ装置の構造を示す斜視分解図である。
【図４】駆動装置、前部カバー、後部カバーおよび伝動部を含む図３の駆動構造の構造を示す斜視分解図である。
【図５】図４の前部カバーと巻き付け部の立体構造図であるである。
【図６】図４の前部カバーと巻き付け部の連結を示す図である。
【図７】図３の前部カバーと摩擦部の構造を示す分解図である。
【図８】図４の駆動装置と伝動部の連結を示す図である。
【図９】図４の伝動部と頭髪フックモジュールの立体構造図であるである。
【図１０】図４の駆動装置、伝動部および頭髪フックモジュールの連結を示す図である。
【図１１】図３の頭髪フックモジュールの立体構造図であるである。
【図１２】本発明の第一実施例の頭髪がパーマ装置により巻き付けられる第一状態を示す図である。
【図１３】本発明の第一実施例の頭髪がパーマ装置により巻き付けられる第二状態を示す図である。
【図１４Ａ】従来のヘアカーラーのパーマ装置により頭髪が巻き付けられる第一状態を示す図である。
【図１４Ｂ】従来のヘアカーラーのパーマ装置により頭髪が巻き付けられる第二状態を示す図である。
【図１５Ａ】図３のパーマ装置により頭髪が巻き付けられる第一状態を示す図である。
【図１５Ｂ】図３のパーマ装置により頭髪が巻き付けられる第二状態を示す図である。
【図１６】２つの挟持部を含む図２の挟持装置の立体構造図であるである。
【図１７】第一端部蓋と第二端部蓋を含む図２の挟持装置を示す構造分解図である。
【図１８】図１７の第二端部蓋の立体構造図であるである。
【図１９】図１６の挟持部の立体構造図であるである。
【図２０】図１７の挟持部と第二端部蓋の連結を示す図である。
【図２１】従来のヘアカーラーに阻止部の設置を示す図である。
【図２２】本発明のヘアカーラーの挟持部と回路基板の構造を示す図である。
【図２３】第一観察方向に観察した図１のケースを示す図である。
【図２４】第二観察方向に観察した図１のケースを示す図である。
【図２５】本発明の第一実施例のヘアカーラーを使用することを示す図である。
【図２６】本発明の第二実施例のヘアカーラーの立体構造図であるである。
【図２７】本発明の第三実施例のヘアカーラーの立体構造図であるである。
【図２８】本発明の第四実施例のヘアカーラーの立体構造図であるである。
【図２９】図２８のヘアカーラーの端面の変形構造を示す図である。
【図３０】図２８のヘアカーラーの変形例を示す図である。
【図３１】本発明の第五実施例のパーマ方法を示す流れ図である。
【発明を実施するための形態】
【００３９】
本発明の目的、技術的事項および発明の効果をより詳細に理解してもらうため、以下、図面と実施例により本発明をより詳細に説明する。なお、以下、説明する具体的な実施例は、本発明を説明するものであり、本発明を限定するものでない。
【００４０】
図１、図２を参照すると、本発明の第一実施例はヘアカーラー２０を提供する。前記ヘアカーラー２０は、ケース２１、パーマ装置１０および挟持装置２４を含む。前記ケース２１によりチャンバー２２が形成され、パーマ装置１０は前記ケース２１のチャンバー２２内に収容される。ケース２１上にはチャンバー２２と連通する開口２３が形成されている。スタイリングする頭髪は開口２３によりケース２１のチャンバー２２内に入った後、パーマ装置１０上に巻き付けられる。挟持装置２４は、ケース２１の内部に取り付けられ、かつケース２１のチャンバー２２内において頭髪の一端を挟持することにより頭髪をパーマ装置１０上に巻き付けるとともにスタイリングする。
【００４１】
図３を参照すると、前記パーマ装置１０は、駆動構造１１、頭髪フックモジュール１２および巻き付け部１３を含む。頭髪フックモジュール１２と巻き付け部１３はいずれも前記駆動構造１１に連結される。頭髪フックモジュール１２と巻き付け部１３が駆動構造１１に連結された後、巻き付け部１３は駆動構造１１に対して停止し、頭髪フックモジュール１２は駆動構造１１の駆動により巻き付け部１３に対して回転することができる。頭髪フックモジュール１２が巻き付け部１３に対して回転するとき、頭髪フックモジュール１２は頭髪を引くとともに頭髪を巻き付け部１３上に巻き付けることができる。
【００４２】
図４を参照すると、前記駆動構造１１は、駆動装置１１１、前部カバー１１２、後部カバー１１３および伝動部１１４を含む。前記前部カバー１１２と駆動装置１１１は連結され、駆動装置１１１から離れている前部カバー１１２の一面の中央位置には連結部１１２１が形成され、前記連結部１１２１により前部カバー１１２は前記巻き付け部１３に連結される。前部カバー１１２と後部カバー１１３が一体に連結されることにより収納部が形成され、後部カバー１１３の中央位置には貫通孔１１３１が形成されている。前部カバー１１２と後部カバー１１３を一体に連結させるとき、前部カバー１１２と後部カバー１１３により形成された収納部は前記貫通孔１１３１により外部と連通することができる。連結部１１２１は前記後部カバー１１３の貫通孔１１３１に挿入され、巻き付け部１３は前記後部カバー１１３の貫通孔１１３１に挿入されることにより連結部１１２１に連結される。前記伝動部１１４の形状は略円環状であり、前記伝動部１１４の中央位置には装着孔１１４１が形成され、伝動部１１４は前記装着孔１１４１により連結部１１２１上に装着され、伝動部１１４は連結部１１２１に対して回転することができる。本実施例では、駆動装置１１１はギア構造であり、そのギア構造は出力ギア１１１１を含む。伝動部１１４の１つの端面の外周には歯車が形成され、前記歯車と前記駆動装置１１１の出力ギア１１１１が結合されることにより、駆動装置１１１は前記出力ギア１１１１を介して伝動部１１４が連結部１１２１に対して回転するように駆動することができる。
【００４３】
図５〜６を参照すると、前記巻き付け部１３は円柱形であり、その巻き付け部１３は固定端１３２と解放端１３４を含み、巻き付け部１３の固定端１３２には固定孔１３３が形成されている。巻き付け部１３は前記固定孔１３３により前部カバー１１２の連結部１１２１に緊密に結合されることにより、巻き付け部１３を前部カバー１１２上に固定させることができる。
【００４４】
図７を参照すると、前記ヘアカーラー２０は摩擦部１３６を更に含み、前記巻き付け部１３は端部カバー１３７を含み、前記巻き付け部１３上には巻き付け部１３の延伸方向に平行に形成されかつ巻き付け部１３の表面を貫通する少なくとも１つの溝１３５が形成されている。摩擦部１３６を前記溝１３５内に挿入した後、端部カバー１３７を前記巻き付け部１３に結合させることにより、前記摩擦部１３６を前記溝１３５内に結合させることができる。前記溝１３５の数量は１つ、２つまたは複数であり、前記摩擦部１３６の数量は前記溝１３５の数量と対応し、その数量は１つ、２つまたは複数であることができる。好ましくは、前記溝１３５の数量は２つであり、それらは前記巻き付け部１３上に対称に形成され、前記摩擦部１３６の数量は２つであり、それらは前記溝１３５内にそれぞれ挿入される。頭髪フックモジュール１２が頭髪を引っ掛けることにより頭髪を前記巻き付け部１３上に巻き付けるとき、前記摩擦部１３６は頭髪と巻き付け部１３の表面との間の摩擦力を増加させ、頭髪を巻き付け部１３上により均等に巻き付けることができる。従来の巻き付け部の表面は滑らかであるので、頭髪を巻き付け部１３上に巻き付けるとき頭髪が巻き付け部１３上でスライドすることにより頭髪の巻き付けが不均等になるおそれがある。本発明においては、摩擦部１３６が形成されることにより頭髪を巻き付け部１３上により均等に巻き付け、良好な巻き付けの効果を得ることができる。前記摩擦部１３６は、ラバーストリップ（Rubber  strip）、ストリップ型ブラシまたはストリップ型フェルトであることができる。本発明の摩擦部１３６は、巻き付け部１３上に溝１３５を形成し、摩擦部１３６を溝１３５内に挿入させる構造のみに限定されるものでない。他の実施例において、巻き付け部１３上に溝１３５を形成せず、摩擦部１３６を巻き付け部１３の表面上に接着させることができる。すなわち、摩擦部１３６が巻き付け部１３上に取り付けられ、頭髪と巻き付け部１３との間の摩擦力を増加させることができる構造であればいずれでもよい。
【００４５】
本実施例では、巻き付け部１３により加熱をすることができる。ヘアカーラー２０は巻き付け部１３を介して巻き付け部１３上に巻き付けられている頭髪８０を加熱することによりスタイリングすることができる。他の実施例においては、チャンバー２２に近接するケース２１の壁面に加熱部品を取り付け、加熱部品により巻き付け部１３上に巻き付けられている頭髪８０を加熱することによりスタイリングすることができる。
【００４６】
図８〜１０を参照すると、前記伝動部１１４は伝動領域１１４２と連結領域１１４３を含み、伝動領域１１４２と連結領域１１４３は機械構造により連結されるか或いは一体に成型されることができるが、本実施例では、一体に成型されることが好ましい。連結領域１１４３から離れている伝動領域１１４２の端面には歯車１１４４が形成されることができる。具体的には、前記歯車１１４４は連結領域１１４３から離れている伝動領域１１４２の端面の外周の辺縁部に環状に形成される歯車であることができる。駆動装置１１１は前記出力ギア１１１１と前記伝動部１１４上の歯車１１４４との結合により伝動部１１４が回転するように駆動する。連結領域１１４３の端面には複数の突出部１１４５が環状に形成され、前記伝動部１１４に連結される頭髪フックモジュール１２の一端の端面には複数の凹型溝１２５が環状に形成されており、前記凹型溝１２５の形状、サイズおよび形成される位置は前記突出部１１４５の形状、サイズおよび形成される位置に対応する。前記突出部１１４５と凹型溝１２５の結合により伝動部１１４は前記頭髪フックモジュール１２に連結され、伝動部１１４が回転することにより頭髪フックモジュール１２が回転しながら頭髪を引っ掛けるように駆動することができる。なお、前記突出部１１４５と凹型溝１２５の結合により伝動部１１４は前記頭髪フックモジュール１２に着脱可能に連結されるので、伝動部１１４と前記頭髪フックモジュール１２の着脱および取替えを容易にすることができる。
【００４７】
前記駆動構造１１は前記伝動部１１４を含まなくてもよい。この場合、前記駆動装置１１１に結合される前記頭髪フックモジュール１２の一端に歯車を形成し、前記駆動装置１１１は前記出力ギア１１１１と前記頭髪フックモジュール１２の歯車との結合により前記頭髪フックモジュール１２の回転を直接駆動することができる。
【００４８】
図１１を参照すると、前記頭髪フックモジュール１２は、本体１２２、第一延伸部１２３ａ、第二延伸部１２３ｂおよび頭髪フック１２４を含む。前記本体１２２は中央に孔が形成されている円筒体であり、頭髪フックモジュール１２は本体１２２の中央に形成されている孔により前記巻き付け部１３上に取り付けられ、前記凹型溝１２５は本体１２２上に形成され、頭髪フックモジュール１２は本体１２２により前記伝動部１１４に連結される。前記第一延伸部１２３ａと第二延伸部１２３ｂは前記伝動部１１４に結合される本体１２２の一端上に対向するように形成されている。頭髪フック１２４が頭髪を引っ掛けることにより頭髪を巻き付け部１３上に巻き付けるとき、第一延伸部１２３ａと第二延伸部１２３ｂは頭髪を押すことにより頭髪を巻き付け部１３上に付着させ、頭髪が散らばることを防止することができる。前記第一延伸部１２３ａは本体１２２から前記巻き付け部１３に近接する解放端１３４まで延伸し、かつ頭髪フック１２４に連結される。すなわち、頭髪フック１２４は巻き付け部１３に近接する解放端１３４に形成される。
【００４９】
前記第二延伸部１２３ｂが延伸されている長さは、前記第一延伸部１２３ａが本体１２２から前記巻き付け部１３の解放端１３４まで延伸している長さより短い。前記第二延伸部１２３ｂの数量は、１つ、２つまたは複数であることができるが、２つであることが好ましい。２つの第二延伸部１２３ｂと第一延伸部１２３ａは、駆動構造１１から離れている本体１２２の一端に同角度の環状に形成されている。
【００５０】
２つの第二延伸部１２３ｂと第一延伸部１２３ａは本体１２２に同角度に形成されることにより一層良好な発明の効果を得ることができる。すなわち、すべての頭髪を巻き付け部１３上に巻き付けるとき、頭髪の解放端である頭髪の先端もまた巻き付け部１３上によく付着することを確保することができる。第二延伸部１２３ｂの数量が少なすぎるとき、頭髪の先端は頭髪の弾力により立ち、かつ巻き付け部１３上によく付着することができないので、頭髪の巻き付けの効果が悪くなるおそれがある。すなわち、立っている頭髪は巻き付け部１３により加熱することができないので、頭髪のスタイリングの効果が悪くなるおそれがある。前記第二延伸部１２３ｂが延伸されている長さは、第一延伸部１２３ａが巻き付け部１３の固定端１３２から巻き付け部１３の解放端１３４まで延伸している長さより短い。すなわち、第二延伸部１２３ｂの長さは第一延伸部１２３ａの長さより短い。具体的には、第二延伸部１２３ｂの長さは第一延伸部１２３ａの長さの１／３〜１／２である。そのような構造により、第二延伸部１２３ｂにより頭髪の先端を絞ることを確保し、かつ第一延伸部１２３ａにより頭髪を容易に巻き付けることができる。なお、第二延伸部１２３ｂが第一延伸部１２３ａと同じ長さを具備するか或いは第二延伸部１２３ｂが前記頭髪フック１２４に近接する位置まで延伸する場合、第二延伸部１２３ｂは頭髪を巻き付けることを妨害し、頭髪に結び目が容易に形成されるおそれがあるので、頭髪を巻き付け部１３上に容易に巻き付けることができない。
【００５１】
本実施例の変形例において、前記頭髪フック１２４は本体１２２に直接連結されることができる。このとき、頭髪フック１２４は駆動構造１１に近接する巻き付け部１３の一端に位置し、巻き付け部１３の解放端１３４に位置しない。他の実施例において、前記頭髪フック１２４を巻き付け部１３に対するいずれかの位置に取り付けることができる。
【００５２】
本実施例の変形例において、前記巻き付け部１３は駆動構造の駆動により回転することができる。前記頭髪フック１２４は巻き付け部１３上に取り付けられ、巻き付け部１３が回転するとき前記頭髪フック１２４が回転しながら頭髪を引っ掛けるように駆動し、それにより頭髪を巻き付け部１３上に巻き付けることができる。
【００５３】
図１２〜１３を参照すると、頭髪８０は固定端８１と解放端８２を含み、前記固定端８１は頭部の皮膚に連結されている一端を指し、前記解放端８２は頭髪の先端部分を指す。前記パーマ装置１０により頭髪８０を巻き付けるとき、頭髪８０の解放端８２が前記挟持装置２４に挟持されることにより頭髪８０の位置が決められる。駆動構造１１は頭髪フック１２４が巻き付け部１３に対して回転するように駆動し、頭髪フック１２４は回転しながら頭髪８０を掛けて引き、かつ頭髪フック１２４は第一延伸部１２３ａとの協働により頭髪８０が巻き付け部１３に巻き付けられるように頭髪８０に力を与える。このとき、頭髪８０の固定端８１は前記挟持装置２４に挟持されかつその位置が決められているので、頭髪８０の固定端８１と解放端８２との間の部位は頭髪フック１２４と第一延伸部１２３ａの力により図１２のＡ方向に巻き付け部１３上に巻き付けられ、頭髪全体が巻き付け部１３上に巻き付けられることができる。
【００５４】
図１２、図１３、図１４Ａおよび図１４Ｂを合わせて参照する。なお、従来のパーマ装置の頭髪フック１０２は巻き付け部１０１に近接する固定端１０１１に取り付けられ、従来のパーマ装置により頭髪８０を巻き付けるとき、頭髪８０の固定端８１は阻止部２００に妨害されるおそれがある。頭髪８０は巻き付け部１０１に対して回転する頭髪フック１０２に引っ掛けられた後、頭髪フック１０２の位置と頭髪８０の解放端８２との間に位置する頭髪８０の所定の部位、すなわち、図１４Ａに示されるＬ１は、頭髪フック１０２の力により図１４Ｂに示される巻き付け部１０１のＡに案内されるとともに全部が巻き付け部１０１のＡに巻き付けられる。その方法を採用する場合、頭髪フック１０２と解放端８２との間の頭髪８０のＬ１はいずれも、巻き付け部１０１のＡに巻き付けられるので、巻き付け部１０１のＡに頭髪が集まり、巻き付けの効果が悪くなるおそれがある。頭髪８０が巻き付け部１０１のＡに集まっているので、巻き付け部１０１により巻き付け部１０１上に巻き付けられている頭髪８０を加熱してスタイリングするとき、巻き付け部１０１の表面に付着している頭髪８０の温度は高く、頭髪の集中により巻き付け部１０１の表面から離れている頭髪８０の温度は低い。すなわち、頭髪８０が巻き付け部１０１のＡに集まっているので、頭髪８０は不均等に加熱され、頭髪８０を加熱してスタイリングする効果が悪くなるおそれがある。それにより一部分の頭髪８０は曲げられ、一部分の頭髪８０は曲げられず、かつ固定端から解放端の一端までの頭髪は殆ど曲げられないおそれがある。
【００５５】
図１２、図１３、図１５Ａおよび図１５Ｂを合わせて参照する。従来技術と比較すると、本発明のパーマ装置１０の頭髪フック１２４は巻き付け部１３に近接する解放端１３４に位置し、パーマ装置により頭髪８０を巻き付けるとき、頭髪８０の固定端８１から解放端８２までの部位、すなわち、図１５Ａに示されるＬ２は、頭髪フック１２４と第一延伸部１２３ａとの協働により巻き付け部１３の解放端１３４から巻き付け部１３の固定端１３２に向かう順に巻き付け部１３上に巻き付けられる。この場合、巻き付け部１３で頭髪８０を均等に加熱することにより、頭髪８０を加熱してスタイリングする効果を向上させ、かつ頭髪８０の固定端８１と解放端８２との間の部位を均等に加熱してスタイリングすることができる。本発明のパーマ装置の頭髪フック１２４は、巻き付け部１３に近接する解放端１３４のみに位置するものでない。頭髪フック１２４を巻き付け部１３の固定端１３２から解放端１３４に向かう方向において巻き付け部１３の固定端１３２から所定の距離離れているいずれかの位置に取り付けることができ、従来技術において頭髪フックが巻き付け部１３の固定端に取り付けられることと比較するとよりよい巻き付けの効果を得ることができる。好ましくは、前記頭髪フック１２４を巻き付け部１３の中央位置と巻き付け部１３の解放端１３４との間のいずれかの位置に取り付けられる。
【００５６】
頭髪８０が巻き付け部１３上に巻き付けられることにより形成された頭髪層は、巻き付け部１３の外表面と巻き付け部１３に近接する第一延伸部１２３ａおよび第二延伸部１２３ｂの表面との間に位置する。第一延伸部１２３ａと第二延伸部１２３ｂが回転することにより、巻き付け部１３上に緩く巻き付けられる頭髪８０を絞ることができ、それにより頭髪８０を巻き付け部１３上に堅牢に付着させ、良好な巻き付けの効果を得ることができる。
【００５７】
第一延伸部１２３ａと第二延伸部１２３ｂを適当に設けることにより、パーマ装置１０は頭髪８０が巻き付け部１３上に巻き付けられることにより形成された頭髪層の厚さを効果的に制御することができる。すなわち、第一延伸部１２３ａおよび第二延伸部１２３ｂが巻き付け部１３の外表面に近接する面と巻き付け部１３の外表面との間の距離により巻き付け部１３上に巻き付けられる頭髪層の厚さを制御することができる。その構造により巻き付け部１３で頭髪８０を加熱してスタイリングすることをよく制御し、第一延伸部１２３ａおよび第二延伸部１２３ｂが巻き付け部１３の外表面に近接する面と巻き付け部１３の外表面との間の距離を制御することにより、頭髪層を加熱するとき巻き付け部１３に付着している部分と巻き付け部１３から離れている部分の温度差はそれほど大きくないので、頭髪層全体を均等に加熱することにより良好なスタイリングの効果を得ることができる。第一延伸部１２３ａと第二延伸部１２３ｂにより頭髪層の厚さを制限しないと、頭髪層の厚さが厚いとき、巻き付け部１３の表面に付着している部分と巻き付け部１３の表面から離れている部分の温度差が大きくなり、それにより巻き付け部１３の表面に付着している頭髪の加熱とスタイリングは終了したが巻き付け部１３の表面から離れている頭髪の加熱とスタイリングはまだであるか、或いは巻き付け部１３の表面から離れている頭髪の加熱とスタイリングは終了したが巻き付け部１３の表面に付着している頭髪は過度の加熱により破損するおそれがある。具体的には、前記第一延伸部１２３ａおよび第二延伸部１２３ｂが巻き付け部１３の表面に近接する面と巻き付け部１３の表面との間の距離は１〜５ｍｍであり、好ましくは２〜３ｍｍである。
【００５８】
巻き付け部１３上に摩擦部１３６が取り付けられているので、頭髪８０を前記巻き付け部１３上に巻き付けるとき、前記摩擦部１３６は頭髪８０と巻き付け部１３との間の摩擦力を増加させ、頭髪８０が巻き付け部１３上で勝手に移動することを防止することができる。それにより頭髪８０を巻き付け部１３上に均等に巻き付け、良好な巻き付けの効果を得ることができる。
【００５９】
図１６〜２０を参照すると、前記挟持装置２４は前記ケース２１のチャンバー２２内に取り付けられ、前記挟持装置２４はオープン状態とオフ状態を含み、挟持装置２４がオープン状態になっているとき、頭髪８０は前記開口２３によりチャンバー２２から出ることができ、挟持装置２４がオフ状態になっているとき、前記挟持装置２４は前記ケース２１のチャンバー２２において頭髪８０を挟持するので、頭髪の巻き付けとスタイリングを容易にすることができる。
【００６０】
前記挟持装置２４は対向するように取り付けられる２つの挟持部２４１を含み、前記２つの挟持部２４１はオープン位置とオフ位置を含む。挟持部２４１がオープン位置にあるとき、２つの前記挟持部２４１はケース２１のチャンバー２２から出てケース２１の内部に位置する。挟持部２４１がオフ位置にあるとき、２つの前記挟持部２４１はケース２１のチャンバー２２において当接することにより頭髪８０を挟持して固定させることができる。頭髪８０を巻き付ける利便性を向上させるため、２つの前記挟持部２４１は前記頭髪フック１２４に対して前記巻き付け部１３の解放端１３４に近接する。各前記挟持部２４１には半円領域２４１７が形成されており、２つの前記挟持部２４１が当接するとき前記半円領域２４１７により貫通孔が形成され、前記巻き付け部１３は前記貫通孔が形成される位置に挿入されることができる。その構造により２つの前記挟持部２４１と巻き付け部１３の協働により頭髪８０を挟持し、挟持部２４１が頭髪８０を挟持して巻き付け部１３上に巻き付けるとき、頭髪８０が回転することを防止することができる。２つの前記挟持部２４１の配置方法として、２つの前記挟持部２４１が当接するとき、２つの挟持部２４１が巻き付け部１３の解放端１３４を挟持するように配置されることが好ましい。
【００６１】
なお、前記挟持部２４１の数量は２つに限定されるものでなく、複数であることができる。挟持部２４１は、オープン位置とオフ位置を含み、かつ頭髪８０の一端を挟持するか或いは解放させる構造であればいずれかの構造を用いることができる。
【００６２】
他の実施例において、前記２つの挟持部２４１上には弾力部品が取り付けられ、前記弾力部品の具体的な例は、スプリングのみに限定されるものでない。ヘアカーラー２０を用いないとき、２つの挟持部２４１は弾力部品の弾力により本体２０の内部に位置し、２つの挟持部２４１はオープン位置にある。ヘアカーラー２０を用いるとき、使用者が指で２つの挟持部２４１を押すことにより弾力部品は圧縮され、２つの挟持部２４１はケース２１のチャンバー２２において当接し、２つの挟持部２４１はオフ位置にある。
【００６３】
具体的には、前記ケース２１の内部には第一端部蓋２１１と第二端部蓋２１２が取り付けられ、第一端部蓋２１１と第二端部蓋２１２が一体に緊密に結合されるとき、第一端部蓋２１１と第二端部蓋２１２により収納部が形成される。各前記挟持部２４１は挟持素子２４１２と延伸部２４１３を含み、前記挟持素子２４１２は第一端部蓋２１１と第二端部蓋２１２により形成される収納部内に取り付けられ、前記延伸部２４１３は切欠口２１２１を介して第一端部蓋２１１と第二端部蓋２１２により形成された収納部から外部に延伸する。各前記挟持部２４１上には２つの固定部２４１４が形成され、前記２つの固定部２４１４上にはスプリング２４１５が１つずつ取り付けられている。組み立てた後、２つの前記挟持部２４１上に取り付けられる４個のスプリング２４１５は二行二列に配置される。前記第二端部蓋２１２は止動環状部２１２２を含み、前記固定部２４１４から離れている前記４個のスプリング２４１５は前記止動環状部２１２２に当接する。止動環状部２１２２の第二端部蓋２１２の中央位置に位置する箇所にはステップ２１２３が形成されている。前記ステップ２１２３によって形成された空間によりスプリング２４１５は止動環状部２１２２に当接し、前記挟持部２４１はステップ２１２３によって形成された空間により挟持部２４１のオフ位置に移動することができる。前記第二端部蓋２１２は４つの柱体２１２４を含み、挟持部２４１は柱体に対応する位置に形成される４つの位置決め溝２４１６を含み、柱体２１２４は位置決め溝２４１６に挿入されるとき、挟持部２４１と当接する前記柱体２１２４の端面により前記挟持部２４１の移動の距離を制限することができる。
【００６４】
他の実施例において、前記ヘアカーラー２０は制御装置（図示せず）を含み、ヘアカーラー２０のケース２１上にはスイッチが取り付けられている。前記挟持装置２４内には駆動装置が取り付けられ、駆動装置は前記挟持装置２４に連結され、前記駆動装置の駆動により前記挟持装置２４のオープンとオフを制御する。スイッチ、駆動装置はいずれも、前記制御装置に電気接続される。使用者はスイッチを制御することにより制御装置に制御信号を送信し、制御装置はスイッチが送信した信号により駆動装置を制御し、駆動装置の駆動により挟持装置のオープンとオフを制御する。
【００６５】
他の実施例において、前記スイッチとして圧力センサーを用いることができる。この場合、使用者はケース２１を押す力により挟持装置２４のオープンとオフを制御することができる。具体的には、制御装置内には圧力閾値が予め設定され、使用者がケース２１に圧力を印加するとき、圧力センサーは使用者がケース２１に印加した圧力を検出しかつ圧力のデータを制御装置に送信し、制御装置は圧力センサーが送信したデータと制御装置内に予め設定される圧力閾値を比較し、圧力センサーが送信したデータが制御装置内に予め設定される圧力閾値より大きいとき、制御装置は駆動装置の駆動により挟持装置がオフ状態になるように制御し、圧力センサーが送信したデータが制御装置内に予め設定される圧力閾値より小さいとき、制御装置は駆動装置の駆動により挟持装置がオープン状態になるように制御する。
【００６６】
図２１を参照すると、ヘアカーラー２０により頭髪８０のスタイリングをするとき、前記挟持装置２４は頭髪８０の固定端８１を挟持する。従来技術においてヘアカーラーに取り付けられる阻止部２００により頭髪８０を巻き付けるとき頭髪８０が回転することを防止することができるが、本発明に取り付けられる前記挟持装置２４により本発明の効果を得ることができる。従来の阻止部２００は頭髪８０を巻き付けるとき頭髪８０の一端を阻止することにより頭髪８０が回転することを防止し、頭髪８０の巻き付けを容易にすることができる。頭髪８０のスタイリングをするとき、阻止部２００は頭髪８０の一端を頭髪８０の延伸方向の垂直方向において阻止するが、頭髪８０の延伸方向の垂直方向において頭髪を固定させず、頭髪８０の延伸方向においても頭髪を固定させなかった。従来の前記ヘアカーラーで頭髪８０を加熱してスタイリングするとき、ヘアカーラーを固定させる必要がある。頭髪のスタイリングをするとき、ヘアカーラーが移動すると、頭髪８０が頭髪８０の延伸方向に移動するか或いは頭髪の延伸方向の垂直方向に移動することにより、頭髪８０が緩く巻き付けられ、頭髪８０が巻き付け部１３上に効果的に付着することができないので、スタイリングの効果が悪くなるおそれがある。実際の応用において、従来のヘアカーラーにより良好なスタイリングの効果を得るため、ヘアカーラーを固定させる必要があるので、使用の利便性がよくない。本発明においては、挟持装置２４により頭髪８０を挟持するので、ヘアカーラー２０で頭髪８０のスタイリングをするとき良好な巻き付けの効果を得ることができる。また、ヘアカーラー２０を勝手に移動させても頭髪８０のスタイリングに影響を与えないので、頭髪８０の良好なスタイリングの効果を得ることができる。すなわち、ヘアカーラーを固定させる必要がないので、前記ヘアカーラーの使用の利便性を向上させることができる。
【００６７】
また、挟持装置２４により頭髪８０を効果的に挟持しかつ挟持装置２４の挟持により頭髪８０が破損されることを防止するため、２つの前記挟持部２４１が当接する面に弾性部材を取り付けることができる。２つの前記挟持部２４１がオフ位置にあるとき、前記弾性部材は前記巻き付け部１３と接触し、弾性部材と前記巻き付け部１３により頭髪８０の一端を挟持して固定させることができる。前記弾性部材は、具体的には、ラバーストリップ、ＰＣＶトリップであることができる。
【００６８】
図２２を参照すると、本発明の実施例において、前記パーマ装置１０の起動方式を次のとおりである。挟持装置２４がオフ位置にあるとき、すなわち、２つの前記挟持部２４１がオフ位置にあるとき、前記パーマ装置１０は自動的に起動することにより頭髪８０を引っ掛けるとともに頭髪８０のスタイリングを行う。具体的には、前記ヘアカーラー２０の内部には回路基板３００と制御装置（図示せず）が形成され、前記回路基板３００、制御装置と前記駆動構造１１との間は電気的に接続され、前記回路基板３００上には２個のホールスイッチ（hall  switch）３０１が形成され、２つの前記挟持部２４１上には磁石が１つずつ取り付けられている。２つの前記挟持部２４１がオフ位置にあるとき、２つの前記挟持部２４１上に取り付けられる磁石の位置と前記ホールスイッチ３０１の位置は対応し、２つの前記挟持部２４１がオフ位置にあるとき、挟持部２４１上に取り付けられる磁石は前記ホールスイッチ３０１をトリガーさせ、前記制御装置はホールスイッチ３０１が送信した信号により駆動構造１１を駆動し、頭髪８０の巻き付けと加熱スタイリングする。
【００６９】
図１、図３、図２３〜２４を合わせて参照すると、本実施例では、使用者は開口２３が形成されている前記ケース２１の側の反対側を持って前記ヘアカーラー２０を使用することができる。前記ケース２１は、底部領域２１１、中間領域２１２および上部領域２１３を含み、ケース２１の一面は円弧面２１４であり、その円弧面２１４は底部領域２１１から中間領域２１２を経て上部領域２１３まで延伸する。前記パーマ装置１０がケース２１のチャンバー２２の内部に取り付けられているとき、パーマ装置１０の駆動構造１１は前記ケース２１の底部領域２１１に位置し、巻き付け部１３はケース２１の中間領域２１２に位置し、巻き付け部１３の解放端１３４はケース２１の中間領域２１２と上部領域２１３との間の接続部位に位置している。前記開口２３がケース２１の底部領域２１１から円弧面２１４の延伸方向に沿ってケース２１の上部領域２１３まで開くことにより円弧型開口が形成されている。円弧型開口の形状と開口に入れられる頭髪の湾曲形状が対応することにより、使用者は頭髪を円弧型開口によりケース２１のチャンバー２２に容易に入れることができるので、頭髪の巻き付けを容易にし、ヘアカーラー２０の使用の利便性を向上させることができる。その構造を採用する場合、使用者がヘアカーラー２０を使用者の頭髪の根元に接近させてスタイリングするとき、ヘアカーラー２０が使用者の頭部の皮膚に当接するおそれがあるが、円弧面に形成されているヘアカーラーのケース２１が使用者の頭部の皮膚と接触するとき、円弧面に形成されるケースの円滑性により、使用者の頭部の皮膚に傷を負わせるか或いは不快感を与えることを防止することができる。それにより使用者は快適性を獲得し、実際の必要によりヘアカーラーのパーマ装置と頭髪の根元との間の距離を適当に調節することができる。前記ケース２１の底部領域２１１、中間領域２１２および上部領域２１３により前記開口２３は底部部分、中間部分および上部部分に分けられる。前記開口の底部部分に形成されている凹型溝は、ヘアカーラー２０でスタイリングするとき、頭髪を集めることにより頭髪全体が開口の中間部分により前記チャンバー２２の内部に入るのを案内することができる。前記開口の上部部分はスタイリングをした後の頭髪が開口の上部部分によりチャンバー２２から出るのを案内する。前記開口２３の内径は上部領域２１３に接近すればするほど大きくなることが好ましい。その構造を採用する目的は、前記ヘアカーラー２０を使用するとき、ケース２１の上部領域２１３は使用者の頭髪の根元に接近しているが、スタイリング待ち頭髪８０の根元は緩い状態になっているので、上部領域２１３に直径が大きい開口２３を形成することにより頭髪８０全体を開口２３から容易に入れ、前記頭髪フック１２４の作動をサポートすることができる。前記開口２３をケース２１の上部領域２１３の上部部分に形成するとき、開口２３の上部部分の直径を巻き付け部１３の解放端１３４のサイズより大きくすることが好ましい。その構造により、巻き付け部１３上に巻き付けられる頭髪８０に対して加熱とスタイリングをした後、その頭髪８０を開口２３の上部領域によりチャンバー２２から出すとき、加熱とスタイリングが実施される頭髪８０が巻き付け部１３上に巻き付けられていることをそのまま出ることができるので、スタイリングの効果を確保することができる。加熱とスタイリングが実施される頭髪８０は高い温度を有しているので、頭髪８０をチャンバー２２から出すとき、いずれの部品により頭髪８０が引っ張られることにより頭髪８０はある程度真っ直ぐになり、頭髪のスタイリングの効果を維持することができない。円弧型開口が形成されることによりヘアカーラー２０全体の美観を向上させることができる。
【００７０】
前記チャンバー２２の壁面はケース２１の上部領域２１３において円弧面に形成されている。その構造を採用する場合、加熱とスタイリングによりふんわりと膨張している頭髪８０をそのままケース２１のチャンバー２２から出すことができる。すなわち、前記構造はケース２１のチャンバー２２から出た頭髪８０のふんわりと膨張した状態に適合するので、頭髪８０をケース２１のチャンバー２２から容易に出て、スタイリングの効果を確保することができる。
【００７１】
巻き付け部１３がケース２１のチャンバー２２の内部に取り付けられるとき、巻き付け部１３の解放端１３４はケース２１の中間領域２１２と上部領域２１３との間の接続部位に位置することが好ましい。その構造を採用する場合、従来のヘアカーラーと比較すると、本発明の巻き付け部１３の解放端１３４は、ケース２１の上部領域２１３の開口の辺縁部から一定の距離離れており、開口２３の辺縁部に位置しない。したがって、スタイリング待ち頭髪８０が使用者の頭部の皮膚に接近しているとき、巻き付け部１３の解放端１３４が開口の辺縁部から一定の距離離れていることにより、使用者の頭部の皮膚にやけどを負わせることを効果的に防止することができる。
【００７２】
他の実施例において、前記ケース２１の上部領域２１３には使用者の親指と人差し指に適合する２つのラグ２１５が形成され、２つの前記ラグ２１５は前記開口２３の上部部分の両側にそれぞれ位置している。その構造を採用する場合、使用者がケース２１を握るとき、２つの前記ラグ２１５は使用者の親指と人差し指にそれぞれ支持されることにより、使用者はヘアカーラー２０のケース２１を安定に握り、使用者に良好な把持の効果を与えることができる。２つのラグ２１５は前記ケース２１に弾性的に連結され、前記ラグ２１５は前記挟持部２４１および延伸部２４１３と協働することにより、使用者は親指と人差し指で前記ラグ２１５を押すことにより２つの前記挟持部２４１がオフ位置に移動するように駆動することができる。その構造により使用者はヘアカーラー２０を簡単に使用でき、非常に人間工学的であり、ヘアカーラー２０を使用する利便性を向上させることができる。前記中間領域２１２は拡大する形状に形成されかつ上部領域２１３に延伸している。すなわち、前記ケース２１は中間領域２１２から上部領域２１３に向かう方向においてそのサイズがますます拡大する形状に形成されている。その構造の利点は、その構造により使用者はヘアカーラー２０を安定に握ることができ、拡大する形状に延伸している上部領域２１３によりヘアカーラー２０が下方にスライドして落下することを防止し、落下によりヘアカーラー２０が破損することを防止し、かつ使用者は良好な把持体験を獲得することができることにある。
【００７３】
他の実施例において、前記ケース２１の底部領域２１１にはフランジ２１４が形成され、前記フランジ２１４と前記ケース２１の底部領域２１１により手のひらに握られる把持領域が形成される。その構造の利点は、底部領域２１１とフランジ２１４が形成されることにより手のひらに圧力を与え、使用者の手のひらに握られる構造が形成され、使用者がケース２１を握ることによりヘアカーラー２０を握るときヘアカーラー２０が揺れることを低減し、それにより使用者がヘアカーラー２０をより安定に握ることができることにある。
【００７４】
他の実施例において、使用者がヘアカーラー２０を握る安定性を向上させるため、前記ケース２１の外表面に突起またはフィギュア（figure）を形成することにより使用者の手のひらとケース２１との間の摩擦力を向上させ、使用者はヘアカーラー２０をより安定に握ることができる。
【００７５】
他の実施例において、前記ヘアカーラー２０の底部には表示パネルとボタンが形成されている。その構造において、表示パネルとボタンはケース２１の把持領域に形成されていないので、ヘアカーラー２０を握ることに影響を与えず、ヘアカーラー２０の美観にも影響を与えない。使用者は表示パネルに表示される使用状態とパラメーターにより前記ヘアカーラー２０の状態を把握することができる。
【００７６】
図２５を参照すると、ヘアカーラー２０を使用するとき、使用者は片手でケース２１を握り、他の手で頭髪８０を整形するとともに前記頭髪を前記開口２３に入れることができる。次に、指で前記ラグ２１５を押すと、ラグ２１５は指の圧力により圧縮される。挟持装置２４がラグ２１５と連動することにより挟持装置２４はオフ位置まで移動しかつ頭髪の固定端８１を挟持する。次に、パーマ装置１０を起動させることにより頭髪８０を巻き付ける。この場合、頭髪８０の固定端８１は挟持装置２４に挟持固定されているので、頭髪８０を巻き付けるとき、頭髪８０の固定端８１から解放端８２までの部分を巻き付け部１３の解放端１３４に向かう方向に巻き付けることにより、頭髪８０をパーマ装置１０上に巻き付けることができる。次に、ヘアカーラー２０を起動させて頭髪を加熱してスタイリングする。スタイリングが終わると、挟持装置２４を解放させることにより、スタイリングされた頭髪を前記開口２３によりチャンバー２２から出すことができる。
【００７７】
ヘアカーラー２０は使用者がケース２１を持って前記ヘアカーラー２０を使用するように設けられている。すなわち、使用者がヘアカーラー２０を握るための他のハンドルを設ける必要がない。その構造により前記ヘアカーラー２０のサイズを効果的に縮小し、ヘアカーラー２０を小型化することができる。また、使用者は手のひらでヘアカーラー２０を持ってスタイリングすることができるので、使用の利便性と快適性がよく、良好な人間工学的概念と符合する。前記ヘアカーラー２０を握り、前記開口２３が前記頭髪８０に向かうようにすることにより、頭髪８０を開口２３から前記ヘアカーラー２０のチャンバー２２に入れてスタイリングすることができる。スタイリングが終わると、使用者はヘアカーラー２０を下に移動させることにより、スタイリングされた頭髪を前記開口２３によりチャンバー２２から出すことができる。ハンドルが形成されている従来のヘアカーラーと比較すると、本発明は、構造が簡単であり、操作の利便性がよく、ユーザーフレンドリーであるという利点を有している。また、挟持装置２４で頭髪を挟持することにより、パーマ装置１０で頭髪８０の巻き付けの効果を確保し、よい頭髪８０のスタイリングの効果を得ることができる。
【００７８】
図２６を参照すると、本発明の第二実施例はヘアカーラー３０を提供する。前記ヘアカーラー３０の内部にはパーマ装置３０１が取り付けられている。前記パーマ装置３０１と前記パーマ装置１０は同じ構造を有しているが、本実施例の前記ヘアカーラー３０はケース３１を更に含む。前記ケース３１によりチャンバー３２が形成され、前記ケース３１上には第一開口３３が形成されている。スタイリング待ち頭髪８０は前記第一開口３３から前記チャンバー３２に入れられる。前記パーマ装置３０１は前記チャンバー３２の内部に取り付けられ、前記パーマ装置３０１は巻き付け部３０１１を含み、巻き付け部３０１１は解放端３０１２を含み、前記巻き付け部３０１１の解放端３０１２に近接するケース３１の個所には第二開口３４が形成され、スタイリングされた頭髪８０を第二開口３４により前記チャンバー３２から出すことができる。
【００７９】
他の実施例において、第二開口３４に近接する前記ヘアカーラー３０の個所には前記挟持装置２４が取り付けられている。前記ヘアカーラー３０は、第一ハンドル３５、第二ハンドル３６およびパネル３７を含み、第一ハンドル３５は前記ケース３１に連結され、第二ハンドル３６は前記パネル３７に連結され、第一ハンドル３５と第二ハンドル３６はヒンジにより連結され、使用者は第一ハンドル３５と第二ハンドル３６を握ることにより前記ヘアカーラー３０を使用することができる。前記挟持装置２４の作動方法は次のとおりである。すなわち、第一ハンドル３５と第二ハンドル３６がオフ位置にあるとき、前記挟持装置２４は頭髪８０を挟持するオフ位置に移動され、第一ハンドル３５と第二ハンドル３６がオープン位置にあるとき、前記挟持装置２４はオープン位置に移動されるので、頭髪８０は第二開口３４により前記チャンバー３２から出ることができる。阻止部を用いる従来のヘアカーラーと比較すると、本発明のパーマ装置には挟持装置２４が取り付けられているので、本発明のパーマ装置３０１は良好な巻き付けの効果とスタイリングの効果を得、ヘアカーラー３０は良好な操作の性能を具備することができる。
【００８０】
図２７を参照すると、本発明の第三実施例はヘアカーラー４０を提供する。前記ヘアカーラー４０の内部にはパーマ装置４０１が取り付けられている。前記パーマ装置４０１と前記パーマ装置１０は同じ構造を有しているが、本実施例の前記ヘアカーラー４０はケース４１を更に含む。前記ケース４１によりスタイリング待ち頭髪８０を収容するチャンバー４２が形成され、前記パーマ装置４０１は前記チャンバー４２の内部に取り付けられる。前記ケース４１上には前記チャンバー４２と連通する第一開口４３が形成され、スタイリング待ち頭髪８０は前記第一開口４３から前記チャンバー４２に入れられる。前記ケース４１上には前記チャンバー４２と連通する第二開口４４が形成され、スタイリングされた頭髪８０を前記第二開口４４により前記チャンバー４２から出すことができる。前記パーマ装置４０１は巻き付け部４０１１を含み、前記巻き付け部４０１１は解放端４０１２を含み、前記第二開口４４は巻き付け部４０１１の解放端４０１２に近接する。前記第二開口４４は第一開口４３と連通し、前記第二開口４４は巻き付け部４０１１の解放端４０１２を囲む環状に形成されている。その構造の利点は、スタイリングされた頭髪８０を前記第二開口４４により前記チャンバー４２から出すとき、頭髪８０が曲げられた状態を維持することができることである。
【００８１】
前記ヘアカーラー４０は前記挟持装置２４を更に含み、前記挟持装置２４は前記第二開口４４が位置している端面に取り付けられる。パーマ装置４０１で頭髪を巻き付けるとき、前記挟持装置２４は頭髪８０の固定端８１を挟持する。その構造によりパーマ装置４０１で頭髪８０を巻き付けるとき頭髪８０が回転することを防止し、良好な巻き付けの効果を得ることができる。頭髪８０を加熱してスタイリングするとき、前記挟持装置２４で頭髪８０を挟持する。阻止部のみが形成される従来のヘアカーラーにおいて、頭髪８０を加熱してスタイリングするときヘアカーラーを揺らすと、頭髪が緩くなるおそれがある。本発明において、挟持装置２４で頭髪８０を挟持した後、頭髪８０を加熱してスタイリングするとき、ヘアカーラー４０が揺れても頭髪が緩くならないので、良好なスタイリングの効果を得ることができる。
【００８２】
図２８を参照すると、本発明の第四実施例はヘアカーラー５０を提供する。前記ヘアカーラー５０と前記ヘアカーラー４０の相違点は、前記ヘアカーラー５０のケース５１の内部に挟持装置２４が取り付けられておらず、挟持装置２４の代わりに把持部５２が前記ケース５１上に取り付けられることにある。前記把持部５２は使用者の手の形状に適合し、使用者は前記把持部５２によりヘアカーラー５０を安定に握ることができる。その構造の利点は、使用者がヘアカーラー５０を安定に握るとき、使用者は親指を用いる必要がないので、使用者が前記ヘアカーラー５０を用いるとき、親指で第二開口５４の端面５３を押すことにより前記頭髪８０の固定端８１を押し、それにより頭髪８０を前記パーマ装置１０上にうまく巻きつけてスタイリングすることができることである。
【００８３】
図２９を参照すると、本発明の実施例において、前記第二開口５４の端面５３に収集領域５６を形成することができる。使用者は親指で頭髪８０の一端を前記収集領域５６に集めることにより、頭髪８０の一端を収集領域５６に収集させ、頭髪８０の一端をよく押すことができる。
【００８４】
図３０を参照すると、本実施例の変形例において提供するヘアカーラー６０上に把持部６２を形成することができるが、ヘアカーラー６０の構造は図３０の構造のみに限定されるものでない。前記把持部６２全体をＣ型構造に形成することができる。例えば、コップの取っ手のような構造に形成することができる。
【００８５】
本実施例の変形例に係るヘアカーラー５０を用いるとき、使用者は片手の親指を除いた他の四指を前記把持部５２に挿入し、手のひらを前記ヘアカーラー５０の側壁に接触させることにより、前記ヘアカーラー５０を握ることができる。すなわち、使用者は片手で前記ヘアカーラー５０を握ることができる。次に、スタイリング待ち頭髪８０を第一開口５５からヘアカーラー５０に入れる。次に、使用者は親指で頭髪８０の固定端８１を収集して押した後、スイッチをオンにすることにより頭髪８０の固定端８１から頭髪の尖端部までの部分をヘアカーラー５０のパーマ装置１０に入れて加熱とスタイリングする。頭髪８０の加熱とスタイリングが終わると、親指を放して前記ヘアカーラー５０を下に移動させることにより、スタイリングされた頭髪８０を前記第二開口５４によりヘアカーラー５０から出すことができるので、頭髪８０のスタイリングを確保することができる。
【００８６】
前記ヘアカーラー５０を使用してみると、前記ヘアカーラー５０は好適な構造を有していることにより、使用者は前記ヘアカーラー５０を安定に握ることができ、かつ前記ヘアカーラー５０を使用するとき、使用者は親指で前記頭髪８０を押すことにより頭髪８０をパーマ装置１０に入れてスタイリングすることにより、使用者は頭髪８０がヘアカーラー５０の内部において受ける応力を把握することができる。頭髪８０のスタイリングが終わると、使用者は前記ヘアカーラー５０を下に移動させることにより、スタイリングされた頭髪８０を前記第二開口５４によりヘアカーラー５０から出すことができる。ヘアカーラー５０を使用するとき、使用者とヘアカーラー５０は相手の状態をフィードバックするので、ユーザーフレンドリーである。
【００８７】
図３１を参照すると、本発明の第五実施例はパーマ方法Ｓ１０を提供し、前記パーマ方法は、
（ｉ）使用者が握るケースを提供するステップと、
（ｉｉ）手と接触するケースの側の反対側に開口を形成し、頭髪をケースの開口に移動させた後、その頭髪を開口からケースによって形成されるチャンバーに入れるステップと、
（ｉｉｉ）チャンバーの内部にパーマ装置を取り付け、そのパーマ装置を起動させて頭髪を巻き付けた後、頭髪を加熱してスタイリングするステップとを含む。
【００８８】
前記ヘアカーラーは挟持装置を更に含み、前記ヘアカーラーの使用方法は、パーマ装置を起動させる前、挟持装置を起動させることにより頭髪の一端を固定させるステップを更に含む。
【００８９】
本実施例のパーマ方法において、使用者はヘアカーラーを握ることによりパーマをする。ハンドルを持ってヘアカーラーを使用する従来の方法と比較すると、本実施例のパーマ方法は操作が簡単であり、利便性とユーザーフレンドリーであるという利点を有している。
【００９０】
前記ヘアカーラーは挟持装置を更に含み、パーマ装置が頭髪を巻き付ける前、前記挟持装置は頭髪の一端を固定させることにより頭髪の巻き付けの効果を向上させることができる。
【００９１】
以上、本発明の好適な実施例を詳述してきたが、前記実施例は本発明の例示にしか過ぎないものであるため、本発明は前記実施例の構成のみに限定されるものではなく、本発明の趣旨を逸脱しない範囲の設計の変更等があっても本発明に含まれることは勿論である。
【図１】
0006925657.tif 000002
【図２】
0006925657.tif 000003
【図３】
0006925657.tif 000004
【図４】
0006925657.tif 000005
【図５】
0006925657.tif 000006
【図６】
0006925657.tif 000007
【図７】
0006925657.tif 000008
【図８】
0006925657.tif 000009
【図９】
0006925657.tif 000010
【図１０】
0006925657.tif 000011
【図１１】
0006925657.tif 000012
【図１２】
0006925657.tif 000013
【図１３】
0006925657.tif 000014
【図１４Ａ】
0006925657.tif 000015
【図１４Ｂ】
0006925657.tif 000016
【図１５Ａ】
0006925657.tif 000017
【図１５Ｂ】
0006925657.tif 000018
【図１６】
0006925657.tif 000019
【図１７】
0006925657.tif 000020
【図１８】
0006925657.tif 000021
【図１９】
0006925657.tif 000022
【図２０】
0006925657.tif 000023
【図２１】
0006925657.tif 000024
【図２２】
0006925657.tif 000025
【図２３】
0006925657.tif 000026
【図２４】
0006925657.tif 000027
【図２５】
0006925657.tif 000028
【図２６】
0006925657.tif 000029
【図２７】
0006925657.tif 000030
【図２８】
0006925657.tif 000031
【図２９】
0006925657.tif 000032
【図３０】
0006925657.tif 000033
【図３１】
0006925657.tif 000034